(57)【要約】取り付け及び取り外しが容易な、スプレー・ノズル（２０）に取り付けられる泡生成ノズル（１０）。泡生成ノズル（１０）は、漏れを起こさない空気流路（２４、２４Ａ、２６）を有する。化学濃縮物の希釈比は、泡生成ノズル（１０）による影響を受けない。
2007534456.tif 000002
【特許請求の範囲】
【請求項１】
スプレー・ノズルに取り付けられる泡ノズルであって、
一方の端部分が、前記スプレー・ノズルの上に嵌まって上流方向から下流方向への化学水溶液の流れを受け入れるように構築及び構成される、管状部材と、
反対側の端部分に位置する泡生成部材と、
前記管状部材内に延びて前記泡生成部材の上流で終わる少なくとも１つの空気通路と
を備える、スプレー・ノズルに取り付けられる泡ノズル。
【請求項２】
前記泡生成部材が、放射状に延びるリブ部材によって画定される、請求項１に記載のスプレー・ノズルに取り付けられる泡ノズル。
【請求項３】
前記泡生成部材が、前記リブ部材がそこから放射状に延びる中央に配置された壁部分を備える、請求項２に記載のスプレー・ノズルに取り付けられる泡ノズル。
【請求項４】
前記泡生成部材が、前記反対側の端部分よりも内側に配置される、請求項１に記載のスプレー・ノズルに取り付けられる泡ノズル。
【請求項５】
前記空気通路が、前記管状部材と前記スプレー・ノズルの間の間隔と、該間隔と連絡している流路部材とを備える、請求項１に記載のスプレー・ノズルに取り付けられる泡ノズル。
【請求項６】
前記流路部材が、互いに等間隔に離間している、請求項５に記載のスプレー・ノズルに取り付けられる泡ノズル。
【請求項７】
４つの流路部材がある、請求項６に記載のスプレー・ノズルに取り付けられる泡ノズル。
【請求項８】
前記空気通路が、前記管状部材内に延びる少なくとも１つの開口、及び該管状部材と前記スプレー・ノズルの間の間隔である、請求項１に記載のスプレー・ノズルに取り付けられる泡ノズル。
【請求項９】
前記管状部材の周りに等間隔に離間した４つの開口がある、請求項８に記載のスプレー・ノズルに取り付けられる泡ノズル。
【請求項１０】
複合スプレー／泡ノズルであって、
分配部材に取り付けられるスプレー・ノズルと、
該スプレー・ノズルに摩擦的に取り付けられる泡ノズルであって、
一方の端部分が、前記スプレー・ノズルの上に嵌まって上流方向から下流方向への化学水溶液の流れを受け入れるように構築及び構成される、管状部材、
反対側の端部分に位置する泡生成部材、及び
前記管状部材内に延びて前記泡生成部材の上流で終わる少なくとも１つの空気通路
を備える、泡ノズルと
を備える、複合スプレー／泡ノズル。
【請求項１１】
前記泡生成部材が、放射状に延びるリブ部材によって画定される、請求項１０に記載のスプレー・ノズルに取り付けられる泡ノズル。
【請求項１２】
前記泡生成部材が、前記リブ部材がそこから放射状に延びる中央に配置された壁部分を備える、請求項１０に記載のスプレー・ノズルに取り付けられる泡ノズル。
【請求項１３】
前記泡生成部材が、前記反対側の端部分よりも内側に配置される、請求項１０に記載のスプレー・ノズルに取り付けられる泡ノズル。
【請求項１４】
前記空気通路が、前記管状部材と前記スプレー・ノズルの間の間隔と、該間隔と連絡している流路部材とを備える、請求項１に記載のスプレー・ノズルに取り付けられる泡ノズル。
【請求項１５】
前記流路部材が、互いに等間隔に離間している、請求項７に記載のスプレー・ノズルに取り付けられる泡ノズル。
【請求項１６】
４つの流路部材がある、請求項１５に記載のスプレー・ノズルに取り付けられる泡ノズル。
【請求項１７】
前記空気通路が、前記管状部材内に延びる少なくとも１つの開口、及び該管状部材と前記スプレー・ノズルの間の間隔である、請求項１０に記載のスプレー・ノズルに取り付けられる泡ノズル。
【請求項１８】
前記管状部材の周りに等間隔に離間した４つの開口がある、請求項１７に記載のスプレー・ノズルに取り付けられる泡ノズル。
【発明の詳細な説明】
【技術分野】
【０００１】
本発明の分野は、化学濃縮物の分配用のノズル、特に、スプレー・ノズルに取り付けられて泡を提供することができるノズルである。
【背景技術】
【０００２】
［関連出願の相互参照］
適用されない。
【０００３】
［連邦政府による資金提供を受けた研究開発の記載］
適用されない。
【０００４】
［発明の背景］
スプレー・ノズルに付随する泡ノズルが既知である。これらは、米国特許第４，６０３，８１２号、第５，６１１，４９０号、第５，６４７，５３９号、及び第６，１６４，５６５号に記載されている。
【０００５】
米国特許第４，６０３，８１２号、第５，６１１，４９０号、及び第６，１６４，５６５号は、泡ノズルに空気を導入するために放射状通路を利用する。これらは、水及び泡が放射状通路から放出され得る点で欠点を有する。さらに、これらのノズルは、ノズルの取り外しを非常に困難にする戻り止め又はロック機構（arrangements）によって保持される。
【０００６】
米国特許第５，４１７，３７１号では、軸方向に配置された空気抜き流路が使用される。しかしながら、これらはノズル本体１０の上流に空気を導入しない。
【０００７】
米国特許第３，９６４，６８９号には、ホース端ディスペンサデバイスから泡を提供するノズル手段が開示されている。空気はスクリーン６８の上流に導入されるが、この機構はスプレー・ノズルに付随する泡ノズルには設けられない。泡ノズルが漏れを防止することもない。
【発明の開示】
【発明が解決しようとする課題】
【０００８】
水又は泡の漏れの発生を低減する、スプレー・ノズル用の泡ノズル・アタッチメントが必要とされる。使用が望まれなくなったときにスプレー・ノズルからの取り外しが容易な泡ノズル・アタッチメントも望ましい。さらに、分配される化学濃縮物の希釈率に影響を及ぼさない泡ノズル・アタッチメントを有することも有利であろう。
【課題を解決するための手段】
【０００９】
［発明の概要］
本発明は、スプレー・ノズルに取り付けられる泡ノズルであって、
一方の端部分が、スプレー・ノズルの上に嵌まるように構築及び構成される、管状部材を備える、泡ノズルを提供する。管状部材は、上流方向から下流方向への化学水溶液の流れを受け入れる。泡生成部材が反対側の端部分に位置する。少なくとも１つの空気通路が、管状部材内に延びて泡生成部材の上流で終わる。
【００１０】
好ましい一実施形態では、泡生成部材は、放射状に延びるリブ部材によって画定され、リブ部材がそこから放射状に延びる中央に配置された壁部分を備える。
【００１１】
一態様では、空気通路は、互いに等間隔に離間するとともに管状部材とスプレー・ノズルの間の間隔と連絡する、４つの流路部材である。
【００１２】
別の態様では、泡生成部材は、反対側の端部分よりも内側に配置される。
【００１３】
別の好ましい実施形態では、空気通路は、管状部材内に延びる少なくとも１つの開口、及び管状部材とスプレー・ノズルの間の間隔である。
【００１４】
本発明の一般的な目的は、水又は泡の漏れの発生を低減する、スプレー・ノズルに取り付けられる泡ノズルを提供することである。
【００１５】
別の目的は、スプレー型ノズルからの取り外しが容易な上記のタイプの泡ノズルである。
【００１６】
さらに別の目的は、泡を効率的に生成するが化学濃縮物の希釈率に悪影響を与えない、泡ノズル・アタッチメントである。
【発明を実施するための最良の形態】
【００１７】
［好ましい実施形態の説明］
図１を参照すると、２００１年９月９日に出願された同一出願人による特許出願第０９／９５６，２９４号に記載されているディスペンサ（全体的に１２）に取り付けられた、泡ノズル（全体的に１０）が示されており、当該出願の教示は本明細書に援用される。ディスペンサは、容器又は瓶１８に接続するための容器コネクタ１６を備える本体部材１４を有する。好ましいコネクタシステムは、２００１年１１月９日に出願された同一出願人による特許出願第１０／０３７，５６９号により完全に記載されており、当該出願の教示は本明細書に援用される。本体部材１４の一方の端部には、化学濃縮物を容器１８から吸い上げるために排出装置を含む、ディスペンサに加圧された水を供給するためのホース・アタッチメント１９がある。ハンドル１７が、アタッチメント１９の下に設けられている。他方の端部には、混合された化学水溶液を分配するためのノズル２０がある。
【００１８】
図３〜図５からわかるように、泡ノズル１０は、上流方向から下流方向への混合された化学水溶液の流れを受け入れる管状本体セクション２２を有する。環状開口２４が、本体部材２２とスプレー・ノズル２０の内側部分２３の間の間隔によって提供される。本体セクション２２内には等間隔に離間した４つの内部溝２６がある。これらは開口２４と流体的に連絡している。これらの溝２６は、３０で示すように、ノズル２０の内側部分２８を超えて延びる。本体部材２２は、摩擦嵌めによってスプレー・ノズル２０の内側部分２３に取り付けられる。
【００１９】
本体セクション２２の反対側の端部には、放射状に配置され離間したリブを有する泡生成部材３５と、中央デフレクタ４０とが接続されている。
【００２０】
図２及び図４からわかるように、ノズル部材２０の内側部分２３は、泡ノズル１０の本体セクション２２の内部に嵌まる４つの等間隔に配置された突起３２を有する。ノズル部材２０の内側部分２３は、内方に傾斜した壁４７を有する２つのリップ４４及び４５を備えるノズル・ヘッド４２を含む。内側部分２３は、リブ溝機構４９及びシール５０によってノズル部材２０に接続される。
【００２１】
好ましい一実施形態１０Ａを図５〜図７に示す。同様の部品を示すために同じ参照符号を用いるが、「Ａ」という添え字を付して示される。実施形態１０と１０Ａの主な違いは、実施形態１０Ａには空気通路として働く溝２６がないことである。さらに、空気開口隙間２４Ａの代わりに、本体セクション２２Ａの内部に空気を導入する４つの等間隔に離間した穴２４Ａがある。これは、環状通路５２Ａを提供するための内側部分２３Ａと本体セクション２２Ａの間の間隔によって与えられる。
【００２２】
実施形態１０及び１０Ａ両方の重要な特徴は、本体セクション２２及び２２Ａの内部及び泡生成部材３５及び３５Ａの上流に空気が導入されることである。これにより、放射状リブ３７、３７Ａが攪拌によって泡を増加させるスクリーン部分を提供する泡生成部材３５及び３５Ａに関連してノズル・ヘッド４２及び４２Ａから出る化学水溶液からの、泡の生成が増加する。同時に、デフレクタ４０及び４０Ａは、泡の生成を確実に増加させるために、泡の一部を逸らし戻す。溝と組み合わせた間隔２４、又は環状通路５２Ａと組み合わせた空気穴２４Ａ等、間接的な空気通路は、泡ノズルからの水溶液の漏れの発生を低減する。
【００２３】
ここで、単純な構造だが効率的に泡を生成することができる泡ノズル・アタッチメント１０及び１０Ａが提供されることがわかるであろう。泡ノズル１０及び１０Ａは、スプレー・ノズルへの後付けが容易であり、多様な洗浄水溶液及び消毒水溶液とともに利用することができる。
【００２４】
泡ノズル部材２０、２０Ａ、本体セクション２２及び２２Ａ、並びに泡生成部材３５及び３５Ａの製造に好ましい材料は、ポリプロピレンである。しかしながら、ダイカスト金属及び他の射出成形プラスチック又はエラストマー等、他の材料を使用することもできる。
【００２５】
泡生成部材３５は、放射状のスポーク機構とともに説明された。これが好ましいが、種々の構成のスクリーン等、他の離間部材機構を使用してもよい。放射状リブ３７、３７Ａ並びにデフレクタ４０及び４０Ａは、別個の構成部品として示されている。所望であれば、１００×１００メッシュ３１６ステンレス鋼スクリーン等のステンレス鋼スクリーンを代わりに使用してもよい。しかしながら、スポーク機構は、一定した泡を得るための規則的な間隔、及び部品の作製時に二次的な動作をなくすためのワンピース設計という利点を提供する。唯一の必須事項は、所望の流れに影響を及ぼすことなく泡を生成するために、水溶液の衝突が十分であるが通過も十分であることである。本発明の精神内にあるこれら及び他の変更は全て、添付の特許請求の範囲によって定義されるその範囲内にあることが意図される。
【図面の簡単な説明】
【００２６】
【図１】ディスペンサに取り付けられた泡ノズル・アタッチメントの斜視図である。
【図２】図１に示す泡ノズル・アタッチメントの断面図である。
【図３】図１に示す泡ノズル・アタッチメントの端面図である。
【図４】図３の線５−５に沿って見た断面図である。
【図５】図２と同様の別の実施形態を示す図である。
【図６】図３と同様の別の実施形態を示す図である。
【図７】図４と同様の別の実施形態を示す図である。
【図１】
2007534456.tif 000003
【図２】
2007534456.tif 000004
【図３】
2007534456.tif 000005
【図４】
2007534456.tif 000006
【図５】
2007534456.tif 000007
【図６】
2007534456.tif 000008
【図７】
2007534456.tif 000009
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
スプレー・ノズル（２０）に取り付けられる泡ノズル（１０）であって、
一方の端部分が、前記スプレー・ノズル（２０）の上に嵌まって上流方向から下流方向への化学水溶液の流れを受け入れるように構築及び構成される、管状部材（２２）と、
反対側の端部分に位置する泡生成部材（３５）と、
前記管状部材内に延びて前記泡生成部材（３５）の上流で終わる少なくとも１つの空気通路（２４）と
を備え、
前記空気通路（２４Ａ）が、前記管状通路（２２Ａ）内に延びる少なくとも１つの開口と、前記管状部材（２２Ａ）と前記スプレー・ノズルの間の間隔（５２Ａ）とを備える、スプレー・ノズルに取り付けられる泡ノズル。
【請求項２】
前記管状部材の周りに等間隔に離間した４つの開口がある、請求項１に記載のスプレー・ノズルに取り付けられる泡ノズル。
【請求項３】
スプレー・ノズル（２０）に取り付けられる泡ノズル（１０）であって、
一方の端部分が、前記スプレー・ノズル（２０）の上に嵌まって上流方向から下流方向への化学水溶液の流れを受け入れるように構築及び構成される、管状部材（２２）と、
反対側の端部分に位置する泡生成部材（３５）と、
前記管状部材内に延びて前記泡生成部材（３５）の上流で終わる少なくとも１つの空気通路（２４）と
を備え、
前記空気通路（２４）が、前記管状部材（２２）の内部壁に長手方向に揃った溝（２６）の形で、間隔を備える、スプレー・ノズルに取り付けられる泡ノズル。
【請求項４】
前記泡生成部材が、放射状に延びるリブ部材（３７、３７Ａ）によって画定される、請求項１又は３に記載のスプレー・ノズルに取り付けられる泡ノズル。
【請求項５】
前記泡生成部材が、前記リブ部材（３７、３７Ａ）がそこから放射状に延びる中央に配置された壁部分（４０、４０Ａ）を備える、請求項４に記載のスプレー・ノズルに取り付けられる泡ノズル。
【請求項６】
前記泡生成部材（３５、３５Ａ）が、前記反対側の端部分よりも内側に配置される、請求項１又は３に記載のスプレー・ノズルに取り付けられる泡ノズル。
【請求項７】
前記溝（２６）が、互いに等間隔に離間している、請求項３に記載のスプレー・ノズルに取り付けられる泡ノズル。
【請求項８】
４つの溝（２６）がある、請求項７に記載のスプレー・ノズルに取り付けられる泡ノズル。
【請求項９】
複合スプレー／泡ノズルであって、
分配部材に取り付けられるスプレー・ノズルと、
該スプレー・ノズルに摩擦的に取り付けられる泡ノズルであって、先行の請求項いずれか１項による、泡ノズルと
を備える、複合スプレー／泡ノズル。
【国際調査報告】
2007534456.tif 000010
2007534456.tif 000011